(57)【特許請求の範囲】
【請求項１】
基材と該基材の裏面に順次積層された粘着剤層およびフィルムとを有するカード形成用シートと、該カード形成用シートのフィルムに擬似接着された裏面シートとを備えるカード付き積層体であって、
前記カード形成用シートには、基材からフィルムまで達する切断切り目で輪郭付けられた略矩形状のカード領域が設けられていると共に、
前記基材に前記粘着剤層が接着していない非接着領域と、前記基材に前記粘着剤層が接着している接着領域とを有し、
前記非接着領域は少なくとも一部が前記カード領域内にあり、
前記カード領域の全ての四辺は、各々、少なくとも一部が前記接着領域内にあることを特徴とするカード付き積層体。
【請求項２】
前記非接着領域では、前記基材と前記粘着剤層との間に略矩形状の剥離シートが介在しており、カード領域内の剥離シートの一方の長辺に沿って、前記フィルムから前記粘着剤層まで達する第１の部分切り目が形成され、該第１の部分切り目から前記剥離シートの他方の長辺までをつなぎ、前記フィルムから前記粘着剤層まで達する２つの第２の部分切り目が形成され、
前記フィルムが透明フィルムである請求項１に記載のカード付き積層体。
【請求項３】
前記非接着領域は、全部が前記カード領域内にあり、
該非接着領域では、前記基材と前記粘着剤層との間に略矩形状の剥離シートが介在しており、該剥離シートの全ての四辺に沿って、フィルムから粘着剤層まで達する部分切り目が形成されている請求項１に記載のカード付き積層体。
【請求項４】
前記非接着領域は、全部が前記カード領域内にあり、
該非接着領域では、前記基材に前記フィルムおよび前記粘着剤層が積層されていない請求項１に記載のカード付き積層体。
【請求項５】
前記非接着領域は、全部が前記カード領域内にあり、
該非接着領域では、前記基材に前記裏面シートと前記カード形成用シートの粘着剤層およびフィルムとが積層されていない請求項１に記載のカード付き積層体。
【発明の詳細な説明】
【技術分野】
【０００１】
本発明は、会員証や健康保険証などのカードが分離可能に備え付けられているカード付き積層体に関する。
【背景技術】
【０００２】
近年、会員証や健康保険証などのカードが分離可能に備えられ、カード以外の領域にカードの送り先や説明などが印刷されたカード付き積層体が広く使用されている。
このようなカード付き積層体としては、例えば、紙基材の裏面に順次積層された粘着剤層およびフィルムとを有するカード形成用シートと、該カード形成用シートのフィルムに擬似接着された裏面シートとを備えるものが提案されている（特許文献１参照）。このカード付き積層体では、カード形成用シートに、紙基材からフィルムまで達する切断切り目で輪郭付けられた略矩形状のカード領域が設けられている。そして、このカード付き積層体では、前記カード領域を裏面シートから剥離することによりカードが得られる。
【０００３】
上述したように、カード形成用シートの裏側は裏面シートと擬似接着するためにフィルムが備えられている。カードの裏面には、カード使用者が自身の住所や氏名等を筆記するための部分（以下、筆記可能部という。）を設けることが多いが、フィルムは筆記性が低いという問題がある。そこで、特許文献１に記載のカード付き積層体では、フィルムおよび粘着剤層の一部を捲って、紙基材が露出するようにカードを形成している。具体的には、カード形成用シートの紙基材と粘着剤層との間の一部に略矩形状の剥離シートが介在されて、紙基材に粘着剤層が接していない非接着領域が形成され、前記カード領域のいずれか一辺の全部が前記非接着領域内に配置されている。これにより、カード付き積層体から取り出されたカードでは、その一端に非接着領域が設けられるため、カードの一端を捲ることができる。したがって、筆記性に優れた紙基材に筆記可能部を設けることができる。
【特許文献１】特開２００３−１８２２７０号公報
【発明の開示】
【発明が解決しようとする課題】
【０００４】
しかしながら、特許文献１に記載のカード付き積層体を印刷するために印刷機に通した際には、印刷がかすれることがあった。また、カード付き積層体が印刷機内で引っ掛かり、それを取り除くために印刷を一旦中断しなければならないことがあった。
本発明は、前記事情を鑑みてなされたものであり、筆記可能部が設けられ、印刷のかすれおよび印刷機内での引っ掛かりが防止されたカード付き積層体を提供することを目的とする。
【課題を解決するための手段】
【０００５】
本発明者らが、前記課題を解決するために検討した結果、印刷のかすれおよび印刷機内での引っ掛かりが、剥離シートに接する部分の基材が剥離シート内に位置する切り目から浮き上がるために起こることを見出した。そして、この知見に基づいてさらに検討して以下のカード付き積層体を発明した。
本発明のカード付き積層体は、基材と該基材の裏面に順次積層された粘着剤層およびフィルムとを有するカード形成用シートと、該カード形成用シートのフィルムに擬似接着された裏面シートとを備えるカード付き積層体であって、
前記カード形成用シートには、基材からフィルムまで達する切断切り目で輪郭付けられた略矩形状のカード領域が設けられていると共に、
前記基材に前記粘着剤層が接着していない非接着領域と、前記基材に前記粘着剤層が接着している接着領域とを有し、
前記非接着領域は少なくとも一部が前記カード領域内にあり、
前記カード領域の全ての四辺は、各々、少なくとも一部が前記接着領域内にあることを特徴とする。
【０００６】
本発明のカード付き積層体においては、前記非接着領域では、前記基材と前記粘着剤層との間に略矩形状の剥離シートが介在しており、カード領域内の剥離シートの一方の長辺に沿って、前記フィルムから前記粘着剤層まで達する第１の部分切り目が形成され、該第１の部分切り目から前記剥離シートの他方の長辺までをつなぎ、前記フィルムから前記粘着剤層まで達する２つの第２の部分切り目が形成され、前記フィルムが透明フィルムであってもよい。
本発明のカード付き積層体においては、前記非接着領域は、全部が前記カード領域内にあり、該非接着領域では、前記基材と前記粘着剤層との間に略矩形状の剥離シートが介在しており、該剥離シートの全ての四辺に沿って、フィルムから粘着剤層まで達する部分切り目が形成されていてもよい。
本発明のカード付き積層体においては、前記非接着領域は、全部が前記カード領域内にあり、該非接着領域では、前記基材の一部に前記フィルムおよび前記粘着剤層が積層されていない欠失部が設けられていてもよい。
本発明のカード付き積層体においては、前記非接着領域は、全部が前記カード領域内にあり、該非接着領域では、前記基材の一部に前記裏面シートと前記カード形成用シートの粘着剤層およびフィルムとが積層されていない欠失部が設けられていてもよい。
【発明の効果】
【０００７】
本発明のカード付き積層体は、筆記可能部が設けられ、印刷のかすれおよび印刷機内での引っかかりが防止されている。
【発明を実施するための最良の形態】
【０００８】
（第１の実施形態）
本発明のカード付き積層体の第１の実施形態について説明する。
図１および図２に、第１の実施形態のカード付き積層体を示す。このカード付き積層体１は、第１の基材１１と第１の基材１１の裏面に順次積層された粘着剤層１２および透明フィルム１３とを有するカード形成用シート１０ａと、カード形成用シート１０ａの透明フィルム１３に擬似接着された裏面シート２０とを備えるものである。
【０００９】
［カード形成用シート］
カード形成用シート１０ａには、第１の基材１１から透明フィルム１３まで達する切断切り目１４で輪郭付けられた略矩形状のカード領域３０が設けられている。
また、カード形成用シート１０ａでは、第１の基材１１と粘着剤層１２との間に、両端部１５ａ，１５ａがカード領域３０の短辺より外側に位置し、中央部（残部）１５ｂがカード領域３０内に位置する矩形状の剥離シート１５が介在している。その際、剥離シート１５の剥離面は粘着剤層１２に接している。このように剥離シート１５が介在した領域は、第１の基材１１と粘着剤層１２とが接着していない非接着領域４０になっている。なお、非接着領域４０以外の領域は、第１の基材１１と粘着剤層１２とが接着している接着領域５０である。また、カード領域３０の各長辺３１，３２の全部および各短辺３３，３４の一部が、それぞれ、接着領域５０内に配置されている。
本実施形態のカード形成用シート１０ａでは、上記のように、カード領域３０と非接着領域４０とが設けられているため、カード領域３０の周縁における長辺３１，３２の近傍部の全部および短辺３３，３４の近傍部の一部において、第１の基材１１が粘着剤層１２に接着されている。
【００１０】
さらに、カード形成用シート１０ａには、カード領域３０内の剥離シート１５の一方の長辺１５ｃに沿って、透明フィルム１３から粘着剤層１２までに達する第１の部分切り目１６が形成されている。また、切断切り目１４の短辺（カード領域３０の短辺３３，３４）が、第１の部分切り目１６から剥離シート１５の他方の長辺１５ｄまでをつなぎ、透明フィルム１３から粘着剤層１２まで達する第２の部分切り目１７になっている。
【００１１】
カード形成用シート１０ａにおける第１の基材１１としては、例えば、紙類、フィルム類等を使用できる。紙類としては、キャストコート紙、アート紙、コート紙、上質紙、クラフト紙、グラシン紙等が挙げられ、フィルム類としては、ポリプロピレンやポリエチレン、ポリエチレンテレフタレート、塩化ビニル等の各種高分子フィルムが挙げられる。また、蒸着紙、合成紙、布、不織布、金属ホイル等も使用できる。さらに、これらの積層体などを適宜採用することができる。
カード形成用シート１０ａにおいては、第１の基材１１における粘着剤層１２と反対側の面に印刷が施されていてもよい。印刷の内容としては、例えば、カード付き積層体１を郵送する場合にはカードの送り先１１ａなどが挙げられる。また、カードの説明などであってもよい。
第１の基材１１の厚さは５０〜５００μｍであることが好ましい。
【００１２】
粘着剤層１２の成分としては、例えば、ゴム系、アクリル系、ウレタン系、ビニルエーテル系等の任意の粘着剤を使用できる。これらの中でも、耐候性、透明性等に優れ、広範な用途に使用できることから、アクリル系粘着剤が好ましく、アクリル系粘着剤としては、エマルジョン型、溶剤型、ホットメルト型等があり、本発明においては、いずれの型のものも使用できる。これらの中でも、安全面、品質面、コスト面からエマルジョン型アクリル系粘着剤が好ましい。
さらに、粘着剤層１２は、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。タッキファイヤーとしては、ロジン系樹脂、テルペン系樹脂、脂肪族系石油樹脂、芳香族系石油樹脂、水添石油樹脂、スチレン系樹脂、アルキルフェノール樹脂等が挙げられる。
粘着剤層１２の厚さは１０〜１００μｍであることが好ましい。
【００１３】
透明フィルム１３としては、該透明フィルム１３を介して透視可能な透明性を有し、擬似接着層２２に擬似接着できるものであれば特に限定はない。透明フィルム１３の具体例としては、ポリエチレンテレフタレート（ＰＥＴ）、ポリエチレン（ＰＥ）、ポリプロピレン（ＰＥ）等の透明樹脂フィルムなどが挙げられる。
透明フィルム１３の厚さは１５〜２００μｍであることが好ましい。
【００１４】
剥離シート１５としては、例えば、周知の剥離シートが使用される。周知の剥離シートとしては、例えば、キャストコート紙、アート紙、コート紙、上質紙、クラフト紙、グラシン紙等の紙の表面に、必要に応じて目止め層を形成した上で、シリコーン系等の剥離剤を塗布した剥離シートなどが挙げられる。
剥離シート１５の厚さは２０〜３００μｍであることが好ましい。
【００１５】
［裏面シート］
本実施形態における裏面シート２０は、第２の基材２１上に擬似接着層２２が形成されたものである。
裏面シート２０を構成する第２の基材２１としては、カード形成用シート１０ａの第１の基材１１と同じものを使用できる。また、第２の基材２１として、第１の基材１１に使用できる周知の剥離シートを使用することもできる。
第２の基材２１の厚さは３０〜２００μｍであることが好ましい。
【００１６】
擬似接着層２２を構成する成分としては、例えば、ポリエチレン、ポリプロピレン、ポリブテン等のポリオレフィンや、ポリ塩化ビニル、ポリ塩化ビニリデン、ポリエステルなどの軟質熱可塑性樹脂が挙げられる。本実施形態では、この擬似接着層２２に、カード形成用シート１０ａの透明フィルム１３が擬似接着されている。
擬似接着層２２の厚さは１０〜５０μｍであることが好ましい。
【００１７】
［カード付き積層体の製造方法］
カード付き積層体１を製造するためには、例えば、まず、打ち抜き加工されていない剥離シートの剥離面上に粘着剤を塗布して粘着剤層１２を形成し、その粘着剤層１２上に透明フィルム１３を貼り合わせて粘着シートを得る。次いで、この粘着シートにおける打ち抜き加工されていない剥離シートを、略矩形状の輪郭に打ち抜き、略矩形状の剥離シート１５を残しつつその他の部分を粘着剤層１２から剥離する。これにより、粘着剤層１２の一部を露出させた後、露出した粘着剤層１２に第１の基材１１を貼り合わせ、第１の基材１１と粘着剤層１２との間に剥離シート１５を介在させて、非接着領域４０と接着領域５０とが設けられたカード形成用シート１０ａを得る。次いで、剥離シート１５の一方の長辺１５ｃに沿って、透明フィルム１３から粘着剤層１２までを切断して第１の部分切り目１６を形成する。
次に、第２の基材２１上に、溶融した軟質熱可塑性樹脂を積層して擬似接着層２２を形成し、その擬似接着層２２が冷却固化する前に、カード形成用シート１０ａの透明フィルム１３を貼り合わせた後、擬似接着層２２を冷却固化して擬似接着層２２と透明フィルム１３とを擬似接着する。そして、剥離シート１５の両端部１５ａ，１５ａがカード領域３０の短辺より外側に位置し、中央部１５ｂがカード領域３０内に位置するように、第１の基材１１から透明フィルム１３まで達する切断切り目１４を形成して略矩形状のカード領域３０を輪郭付ける。このようにして、カード領域３０を設けてカード付き積層体１を得る。
【００１８】
［使用方法］
カード付き積層体１を使用する際には、まず、印刷機によって印刷する。ここで、カード付き積層体１では、上述したように、カード領域３０の長辺３１，３２の近傍部の全部および短辺３３，３４の近傍部の一部において、第１の基材１１が粘着剤層１２に接着されている。このような状態でカード付き積層体１を印刷しても、剥離シート１５に接する部分の第１の基材１１が切断切り目１４から浮き上がりにくいから、印刷のかすれおよび印刷機内での引っかかりを防止できる。
【００１９】
印刷機により印刷した後には、カード付き積層体１をカード使用者に送付する。そして、カード付き積層体１を受け取ったカード使用者等が、カード付き積層体１の擬似接着層２２からカード領域３０を剥離することによりカードを得る。
その後、カード付き積層体１から得たカードの裏面に住所や氏名等を筆記する。ここで、本実施形態におけるカードにおいては、上記のように、剥離シート１５によって第１の基材１１と粘着剤層１２とが接着していない非接着領域４０が設けられ、第１の部分切り目１６および第２の部分切り目１７（切断切り目１４）が形成されているため、カード領域３０内の非接着領域４０の剥離シート１５と粘着剤層１２と透明フィルム１３とを捲ることができる（図３参照。なお、図３においては、カード３０ａの裏面が図面上側を向いている。）。
本実施形態のカード３０ａにおいては、裏面に住所や氏名等を筆記する際に、非接着領域４０の剥離シート１５と粘着剤層１２と透明フィルム１３とを捲って第１の基材１１の裏面側一部を露出させ、その露出した部分を筆記可能部１１ｂとして住所や氏名等を筆記する。
第１の基材１１の筆記可能部１１ｂに筆記後、剥離シート１５を粘着剤層１２から剥離し、露出した粘着剤層１２を第１の基材１１に貼着して保護する（図４参照。なお、図４においては、カード３０ａの裏面が図面上側を向いている。）。
【００２０】
（第２の実施形態）
本発明のカード付き積層体の第２の実施形態について説明する。
図５および図６に、第２の実施形態のカード付き積層体を示す。このカード付き積層体２は、第１の基材１１と第１の基材１１の裏面に順次積層された粘着剤層１２および透明フィルム１３とを有するカード形成用シート１０ｂと、カード形成用シート１０ｂの透明フィルム１３に擬似接着された裏面シート２０とを備えるものである。
また、カード付き積層体２におけるカード形成用シート１０ｂには、第１の基材１１から透明フィルム１３まで達する切断切り目１４で輪郭付けられた略矩形状のカード領域３０が設けられている。
【００２１】
カード形成用シート１０ｂにおける第１の基材１１と粘着剤層１２との間には、全部がカード領域３０内にある矩形状の剥離シート１５が介在しており、剥離シート１５が介在した領域が、第１の基材１１と粘着剤層１２とが接着していない非接着領域４０になっている。なお、非接着領域４０以外の領域は、第１の基材１１と粘着剤層１２とが接着している接着領域５０である。
また、カード形成用シート１０ｂには、剥離シート１５の一方の長辺１５ｃに沿って、透明フィルム１３から粘着剤層１２までに達する第１の部分切り目１６が形成され、長辺１５ｃから長辺１５ｄまでをつなぐ両方の短辺１５ｅ，１５ｆに沿って、透明フィルム１３から粘着剤層１２までに達する第２の部分切り目１７が形成されている。
なお、本実施形態において、第１の実施形態と同様の構成は図１および図２と同じ符号を付して説明を省略する。
【００２２】
本実施形態のカード形成用シート１０ｂでは、上記のようにカード領域３０と非接着領域４０とが設けられているため、カード領域３０の長辺３１，３２および短辺３３，３４の近傍部の全部において、第１の基材１１が粘着剤層１２に接着されている。そのため、このカード付き積層体２を印刷する場合にも、剥離シート１５に接する部分の第１の基材１１が切断切り目１４から浮き上がりにくく、印刷のかすれおよび印刷機内での引っ掛かりを防止することができる。
また、本実施形態のカード付き積層体２から得られたカードには、カード領域３０内に非接着領域４０が設けられている上に、第１の部分切り目１６および第２の部分切り目１７によって透明フィルム１３から粘着剤層１２までが切断されているため、非接着領域４０の剥離シート１５と粘着剤層１２と透明フィルム１３とを捲ることができる。よって、カードにカード使用者が住所や氏名等を筆記する際には、非接着領域４０の剥離シート１５と粘着剤層１２と透明フィルム１３とを捲って第１の基材１１の裏面側一部を露出させ、露出した第１の基材１１の裏面側一部を筆記可能部１１ｂとして、住所や氏名等を筆記する。
さらに、第１の基材１１の筆記可能部１１ｂに筆記後、剥離シート１５を粘着剤層１２から剥離し、これにより露出した粘着剤層１２を第１の基材１１に貼着することにより、筆記可能部１１ｂを透明フィルム１３で保護する。
【００２３】
（第３の実施形態）
本発明のカード付き積層体の第３の実施形態について説明する。
図７および図８に、第３の実施形態のカード付き積層体を示す。このカード付き積層体３は、第１の基材１１と第１の基材１１の裏面に順次積層された粘着剤層１２および透明フィルム１３とを有するカード形成用シート１０ｃと、カード形成用シート１０ｃの透明フィルム１３に擬似接着された裏面シート２０とを備えるものである。
また、カード付き積層体３におけるカード形成用シート１０ｃには、第１の基材１１から透明フィルム１３まで達する切断切り目１４で輪郭付けられた略矩形状のカード領域３０が設けられている。
【００２４】
カード形成用シート１０ｃにおける第１の基材１１と粘着剤層１２との間には、全部がカード領域３０内にある矩形状の剥離シート１５が介在しており、剥離シート１５が介在した領域が、第１の基材１１と粘着剤層１２とが接着していない非接着領域４０になっている。なお、非接着領域４０以外の領域は、第１の基材１１と粘着剤層１２とが接着している接着領域５０である。
また、カード形成用シート１０ｃには、剥離シート１５の長辺１５ｃ，１５ｄに沿って、透明フィルム１３から粘着剤層１２までに達する第１の部分切り目１６が形成され、短辺１５ｅ，１５ｆに沿って、透明フィルム１３から粘着剤層１２までに達する第２の部分切り目１７が形成されている。
なお、本実施形態において、第１の実施形態と同様の構成は図１および図２と同じ符号を付して説明を省略する。
【００２５】
本実施形態のカード付き積層体３では、第２の実施形態と同様の理由から、印刷時に、剥離シート１５に接する部分の第１の基材１１が切断切り目１４から浮き上がりにくく、印刷のかすれおよび印刷機内での引っ掛かりを防止することができる。
また、本実施形態では、上記のように、第１の部分切り目１６および第２の部分切り目１７が形成され、透明フィルム１３および粘着剤層１２が切断されているため、非接着領域４０の剥離シート１５と粘着剤層１２透明フィルム１３とが分離可能になっている。したがって、カード付き積層体３から得られたカードの裏面に住所や氏名等を筆記する際には、非接着領域４０の剥離シート１５と粘着剤層１２透明フィルム１３とをカードから分離し、これにより露出した第１の基材１１の裏面側の一部を筆記可能部として、住所や氏名等を筆記する。
【００２６】
（第４の実施形態）
本発明のカード付き積層体の第４の実施形態について説明する。
図９および図１０に、第４の実施形態のカード付き積層体を示す。このカード付き積層体４は、第１の基材１１と第１の基材１１の裏面に順次積層された粘着剤層１２および透明フィルム１３とを有するカード形成用シート１０ｄと、カード形成用シート１０ｄの透明フィルム１３に擬似接着された裏面シート２０とを備えるものである。
また、カード付き積層体４におけるカード形成用シート１０ｄには、第１の基材１１から透明フィルム１３まで達する切断切り目１４で輪郭付けられた略矩形状のカード領域３０が設けられている。
【００２７】
カード形成用シート１０ｄにおいては、カード領域３０内に、第１の基材１１の一部に上述した粘着剤層１２および透明フィルム１３が積層されていない欠失部１８ａが設けられており、この欠失部１８ａの領域が非接着領域４０になっている。すなわち、非接着領域４０では、第１の基材１１に上述した粘着剤層１２および透明フィルム１３が積層されていない。なお、非接着領域４０以外の領域は、第１の基材１１と粘着剤層１２とが接着している接着領域５０である。
なお、本実施形態において、第１の実施形態と同様の構成は図１および図２と同じ符号を付して説明を省略する。
【００２８】
本実施形態のカード付き積層体４では、第２の実施形態と同様の理由から、印刷時に、剥離シート１５に接する部分の第１の基材１１が切断切り目１４から浮き上がりにくく、印刷のかすれおよび印刷機内での引っ掛かりを防止することができる。
また、本実施形態では、カード領域３０内に、第１の基材１１の一部に上述した粘着剤層１２および透明フィルム１３が積層されていない欠失部１８ａが設けられているため、カード付き積層体４から得られたカードでは、欠失部１８ａに応じて第１の基材１１の裏面側の一部が露出する。そして、この第１の基材１１の露出した部分を筆記可能部にして、住所や氏名等を筆記する。
【００２９】
（第５の実施形態）
本発明のカード付き積層体の第５の実施形態について説明する。
図１１および図１２に、第５の実施形態のカード付き積層体を示す。このカード付き積層体５は、第１の基材１１と第１の基材１１の裏面に順次積層された粘着剤層１２および透明フィルム１３とを有するカード形成用シート１０ｅと、カード形成用シート１０ｅの透明フィルム１３に擬似接着された裏面シート２０とを備えるものである。
また、カード付き積層体５におけるカード形成用シート１０ｅには、第１の基材１１から透明フィルム１３まで達する切断切り目１４で輪郭付けられた略矩形状のカード領域３０が設けられている。
【００３０】
カード形成用シート１０ｅにおいては、カード領域３０内に、第１の基材１１の一部に上述した粘着剤層１２および透明フィルム１３と裏面シート２０とが積層されていない欠失部１８ｂが形成されており、この欠失部１８ｂの領域が非接着領域４０になっている。すなわち、非接着領域４０では、第１の基材１１に上述した粘着剤層１２および透明フィルム１３と裏面シート２０とが積層されていない。なお、非接着領域４０以外の領域は、第１の基材１１と粘着剤層１２とが接着している接着領域５０である。
なお、本実施形態において、第１の実施形態と同様の構成は図１および図２と同じ符号を付して説明を省略する。
【００３１】
本実施形態のカード付き積層体５では、第２の実施形態と同様の理由から、印刷時に、剥離シート１５に接する部分の第１の基材１１が切断切り目１４から浮き上がりにくく、印刷のかすれおよび印刷機内での引っ掛かりを防止することができる。
また、本実施形態では、カード領域３０内に、第１の基材１１の一部に上述した粘着剤層１２および透明フィルム１３と裏面シート２０とが積層されていない欠失部１８ｂが設けられているため、カード付き積層体５では、欠失部１８ｂに応じて第１の基材１１の裏面側の一部が露出する。そして、この第１の基材１１の露出した部分を筆記可能部にして、住所や氏名等を筆記する。筆記は、カード付き積層体５からカードを剥離する前であってもよいし、後であってもよい。
【００３２】
なお、本発明は上述した実施形態に限定されない。例えば、上述した第１〜第５の実施形態では、裏面シート２０が第２の基材２１上に擬似接着層２２が形成されたものであったが、裏面シート２０は擬似接着層２２を有していなくてもよい。ただし、その場合には、カード形成用シートのフィルムを、擬似接着層を構成する上記軟質熱可塑性樹脂等で形成して、裏面シートとシート形成用シートのフィルムとを擬似接着する。
第３〜第５の実施形態では、フィルムが透明フィルムであったが、不透明のフィルムを用いても構わない。
【図面の簡単な説明】
【００３３】
【図１】本発明に係る第１の実施形態のカード付き積層体を示す上面図である。
【図２】図１のＡ−Ａ’断面図である。
【図３】図１および図２のカード付き積層体から分離したカードにおいて、剥離シートと粘着剤層と透明フィルムとの一部を捲ったときの状態を示すの断面図である。
【図４】図１および図２のカード付き積層体から分離したカードにおいて、粘着剤層から剥離シートを剥離し、粘着剤層を第２の基材に貼着したときの状態を示す断面図である。
【図５】本発明に係る第２の実施形態のカード付き積層体を示す上面図である。
【図６】図５のＢ−Ｂ’断面図である。
【図７】本発明に係る第３の実施形態のカード付き積層体を示す上面図である。
【図８】図７のＣ−Ｃ’断面図である。
【図９】本発明に係る第４の実施形態のカード付き積層体を示す上面図である。
【図１０】図９のＤ−Ｄ’断面図である。
【図１１】本発明に係る第５の実施形態のカード付き積層体を示す上面図である。
【図１２】図１１のＥ−Ｅ’断面図である。
【符号の説明】
【００３４】
１，２，３，４，５  カード付き積層体
１１  第１の基材
１０ａ，１０ｂ，１０ｃ，１０ｄ，１０ｅ  カード形成用シート
１１ａ  送り先
１１ｂ  筆記可能部
１２  粘着剤層
１３  透明フィルム
１４  切断切り目
１５  剥離シート
１５ａ  両端部
１５ｂ  中央部
１５ｃ，１５ｄ  長辺
１５ｅ，１５ｆ  短辺
１６  第１の部分切り目
１７  第２の部分切り目
１８ａ，１８ｂ  欠失部
２０  裏面シート
２１  第２の基材
２２  擬似接着層
３０  カード領域
３０ａ  カード
３１，３２  長辺
３３，３４  短辺
４０  非接着領域
５０  接着領域
【図１】
0004588564.tif 000002
【図２】
0004588564.tif 000003
【図３】
0004588564.tif 000004
【図４】
0004588564.tif 000005
【図５】
0004588564.tif 000006
【図６】
0004588564.tif 000007
【図７】
0004588564.tif 000008
【図８】
0004588564.tif 000009
【図９】
0004588564.tif 000010
【図１０】
0004588564.tif 000011
【図１１】
0004588564.tif 000012
【図１２】
0004588564.tif 000013